(57)【要約】【課題】用紙の幅が同じで、長さが異なるサイズの用紙であっても識別可能とすることで、操作者の負担を増加させることなく様々な用紙で印刷することが可能な印刷装置および印刷制御方法を提供する。【解決手段】デジタルカメラから画像データを入力するインタフェース部１４と、用紙へのインクの噴射を制御するヘッド制御部１２およびヘッドブロック１２１とを備えた印字部と、モータ制御部１３、用紙搬送モータ１３１、ヘッド搬送モータ１３２および給排紙ローラなどとを備えた用紙搬送駆動部とで構成された印刷部と、複数種類の用紙のサイズを記憶するメモリ部１６と、印刷される用紙がセットされた位置を検出する用紙センサ１１３と、用紙センサ１１３により検出した用紙の位置に応じて当該用紙の種類を判定し、判定に基づいてメモリ部１６から当該用紙のサイズを読み出し、印刷部での印刷を制御するＣＰＵ部１７とを備えた。【選択図】図１
2008093887.tif 000002
【特許請求の範囲】
【請求項１】
印刷データを用紙に印刷する印刷部と、
複数種類の用紙のサイズを記憶する記憶部と、
印刷される用紙がセットされた位置を検出する用紙位置検出センサと、
前記用紙位置検出センサにより検出した用紙の位置に応じて当該用紙の種類を判定し、前記判定に基づいて前記記憶部から当該用紙のサイズを読み出し、前記印刷部での印刷を制御する制御部とを備えたことを特徴とする印刷装置。
【請求項２】
前記制御部は、搬送路の幅方向のいずれかの端に、前記印刷される用紙が片寄せされているかで用紙の種類を判定するものであることを特徴とする請求項１記載の印刷装置。
【請求項３】
前記用紙位置検出センサは、搬送路の幅方向の用紙の有無を検出することで、用紙の位置を検出するものであることを特徴とする請求項１または２記載の印刷装置。
【請求項４】
前記用紙位置検出センサは、前記搬送路の幅方向に沿って設けられたシャフトと、前記シャフトに沿って移動する発光部および受光部とで形成され、前記受光部からの信号を前記制御部へ出力する光学式センサであることを特徴とする請求項２または３記載の印刷装置。
【請求項５】
前記印刷データを入力する入力部を備え、
前記制御部は、前記入力部を介して入力されたＰｉｃｔＢｒｉｄｇｅ規格に準拠した印刷データに基づいて印刷を制御することを特徴とする請求項１から４のいずれかの項に記載の印刷装置。
【請求項６】
前記印刷データをメモリカードから入力する入力部を備えたことを特徴とする請求項１から４のいずれかの項に記載の印刷装置。
【請求項７】
用紙位置検出センサが、印刷される用紙がセットされた位置を検出するステップと、
制御部が、前記用紙位置検出センサにより検出した用紙の位置に応じて当該用紙の種類を判定するステップと、
前記制御部が、複数種類の用紙のサイズを記憶する記憶部から前記判定に基づいて当該用紙のサイズを読み出すステップと、
前記制御部が、印刷データを用紙に印刷する印刷部での印刷を制御するステップとを備えたことを特徴とする印刷制御方法。
【請求項８】
前記制御部が、搬送路の幅方向のいずれかの端に、前記印刷される用紙が片寄せされているかで用紙の種類を判定するものであることを特徴とする請求項７記載の印刷制御方法。
【発明の詳細な説明】
【技術分野】
【０００１】
本発明は、様々な用紙サイズが印刷可能な印刷装置および印刷制御方法に関する。
【背景技術】
【０００２】
プリンタやスキャナなどを備えた複合機などの印刷装置が一般家庭にも普及している。これらの印刷装置は、文書や年賀状・暑中見舞いなどの葉書を印刷したり、デジタルカメラで撮影した画像を印刷したりするものとして使用される。文書や葉書印刷をするときには、印刷装置とパーソナルコンピュータ（以下、ＰＣと称す。）とを接続して印刷される。またデジタルカメラの画像データを印刷するときには、予めデジタルカメラの画像データをＰＣへ移した後に行われる。
【０００３】
近年、デジタルカメラの画像データをＰＣへ移すことなく、印刷装置とデジタルカメラとを直接接続して印刷したり、また、画像データを保存するメモリカードをデジタルカメラから取り出し、印刷装置へ実装することで直接印刷したりすることも可能となった。
【０００４】
印刷される用紙としては、Ｌ判サイズ（１２７ｍｍ×８９ｍｍ）や葉書サイズ（１４８ｍｍ×１００ｍｍ）、Ａ４（２９７ｍｍ×２１０ｍｍ）など、従来からあるアスペクト比４：３のサイズに加え、幅が葉書サイズと同じであるが、長さが葉書サイズより長くアスペクト比１６：９を有する、いわゆるワイド葉書サイズ（１８１ｍｍ×１０２ｍｍ）の用紙も使用されるようになってきている。
【０００５】
従来の印刷装置として、スキャナの読み取る原稿の幅を検出すると共に、画像を記録出力するロール紙の幅を検出し、検出した原稿幅とロール紙幅とに基づいて原稿の画像データを分割し、分割画像をロール紙に記録するものが（特許文献１）に記載されている。
【特許文献１】特開２００４−１３０７５２号公報
【発明の開示】
【発明が解決しようとする課題】
【０００６】
ところで、多種多様な用紙が印刷できるようになった印刷装置ではあるが、例えばアスペクト比１６：９の画像データをワイド葉書サイズで印刷するときには、ワイド葉書サイズの用紙を、印刷装置への挿入方向に用紙の長手方向を合わせてセットして印刷することになる。この場合、ワイド葉書サイズと葉書サイズとでは、同幅で、長さが異なるものなので、印刷装置としては、用紙が用紙トレイに片寄せしてセットされた状態では、どちらがセットされているかが、例えば用紙ガイドの位置だけでは判断できない。
【０００７】
従って、印刷装置にセットしてある用紙が葉書サイズで、デジタルカメラから送信された画像データがワイド葉書サイズのものであれば、全体が印刷できるように用紙の長さ方向を合わせ、幅方向に余白を残して印刷したり、用紙の幅方向を合わせて長さ方向を切り取ったりするような処理を、印刷装置側で自動的に判定することができない。そうなると、印刷装置側に、設定メニューを設けたり、用紙の区別を指示するような操作ボタンを設けたりする必要があるので、操作者の負担が増加する。
【０００８】
そこで本発明は、用紙の幅が同じで、長さが異なるサイズの用紙であっても識別可能とすることで、操作者の負担を増加させることなく様々な用紙で印刷することが可能な印刷装置および印刷制御方法を提供することを目的とする。
【課題を解決するための手段】
【０００９】
本発明の印刷装置は、印刷データを用紙に印刷する印刷部と、複数種類の用紙のサイズを記憶する記憶部と、印刷される用紙がセットされた位置を検出する用紙位置検出センサと、前記用紙位置検出センサにより検出した用紙の位置に応じて当該用紙の種類を判定し、前記判定に基づいて前記記憶部から当該用紙のサイズを読み出し、前記印刷部での印刷を制御する制御部とを備えたことを特徴とする。
【００１０】
また、本発明の印刷制御方法は、用紙位置検出センサが、印刷される用紙がセットされた位置を検出するステップと、制御部が、前記用紙位置検出センサにより検出した用紙の位置に応じて当該用紙の種類を判定するステップと、前記制御部が、複数種類の用紙のサイズを記憶する記憶部から前記判定に基づいて当該用紙のサイズを読み出すステップと、前記制御部が、印刷データを用紙に印刷する印刷部での印刷を制御するステップとを備えたことを特徴とする。
【発明の効果】
【００１１】
用紙位置検出センサにより印刷される用紙がセットされた位置を検出し、その位置に応じて制御部が用紙の種類を特定して印刷するので、用紙の幅が同じで、長さが異なるサイズの用紙であっても識別することが可能である。よって、操作者の負担を増加させることなく様々な用紙で印刷することが可能である。
【発明を実施するための最良の形態】
【００１２】
本発明の第１の発明は、印刷データを用紙に印刷する印刷部と、複数種類の用紙のサイズを記憶する記憶部と、印刷される用紙がセットされた位置を検出する用紙位置検出センサと、用紙位置検出センサにより検出した用紙の位置に応じて当該用紙の種類を判定し、判定に基づいて記憶部から当該用紙のサイズを読み出し、印刷部での印刷を制御する制御部とを備えたことを特徴としたものである。
【００１３】
用紙位置検出センサにより印刷される用紙がセットされた位置を検出する。その位置に応じて制御部が用紙の種類を特定する。そして制御部が、用紙の種類に応じて記憶部から用紙のサイズを読み出して、印刷部を制御して印刷する。従って、用紙の幅が同じで、長さが異なるサイズであっても識別することが可能である。
【００１４】
本発明の第２の発明は、制御部は、搬送路の幅方向のいずれかの端に、印刷される用紙が片寄せされているかで用紙の種類を判定するものであることを特徴としたものである。
【００１５】
制御部が、搬送路の幅方向のいずれかの端に、印刷される用紙が片寄せされているかで用紙の種類を判定することで、操作者が印刷される用紙をセットするときに、容易にセットすることができる。
【００１６】
本発明の第３の発明は、用紙位置検出センサは、搬送路の幅方向の用紙の有無を検出することで、用紙の位置を検出するものであることを特徴としたものである。
【００１７】
用紙位置検出センサとして搬送路の幅方向の用紙の有無を検出するものを採用すれば、印刷される用紙がセットされた位置を検出する際に、用紙の種類に応じて操作者がセットする位置を変更しても、正確に用紙のセットされた位置を検出することができる。
【００１８】
本発明の第４の発明は、用紙位置検出センサは、搬送路の幅方向に沿って設けられたシャフトと、シャフトに沿って移動する発光部および受光部とで形成され、受光部からの信号を制御部へ出力する光学式センサであることを特徴としたものである。
【００１９】
用紙位置検出センサを光学式センサとすることで印刷される用紙に非接触状態でセットされた位置を制御部へ通知することができる。
【００２０】
本発明の第５の発明は、印刷データを入力する入力部を備え、制御部は、入力部を介して入力されたＰｉｃｔＢｒｉｄｇｅ規格に準拠した印刷データに基づいて印刷を制御することを特徴としたものである。
【００２１】
例え、ＰｉｃｔＢｒｉｄｇｅ規格に、用紙の幅が同じで、長さが異なるサイズの用紙を指定する命令がなくても、用紙のセット位置で識別が可能なので、印刷データを送信する側の装置として既存のものが使用できる。
【００２２】
本発明の第６の発明は、印刷データをメモリカードから入力する入力部を備えたことを特徴としたものである。
【００２３】
印刷データがメモリカードに格納されているものであっても、同様に、用紙のセット位置で用紙の種類を識別することが可能なので、用紙の幅が同じで、長さが異なるサイズの用紙に印刷することが可能である。
【００２４】
本発明の第７の発明は、用紙位置検出センサが、印刷される用紙がセットされた位置を検出するステップと、制御部が、用紙位置検出センサにより検出した用紙の位置に応じて当該用紙の種類を判定するステップと、制御部が、複数種類の用紙のサイズを記憶する記憶部から判定に基づいて当該用紙のサイズを読み出すステップと、制御部が、印刷データを用紙に印刷する印刷部での印刷を制御するステップとを備えたことを特徴としたものである。
【００２５】
用紙位置検出センサにより印刷される用紙がセットされた位置を検出する。その位置に応じて制御部が用紙の種類を特定する。そして制御部が、用紙の種類に応じて記憶部から用紙のサイズを読み出して、印刷部を制御して印刷する。従って、用紙の幅が同じで、長さが異なるサイズであっても識別することが可能である。
【００２６】
本発明の第８の発明は、制御部が、搬送路の幅方向のいずれかの端に、印刷される用紙が片寄せされているかで用紙の種類を判定するものであることを特徴としたものである。
【００２７】
制御部が、搬送路の幅方向のいずれかの端に、印刷される用紙が片寄せされているかで用紙の種類を判定することで、操作者が印刷される用紙をセットするときに、容易にセットすることができる。
【００２８】
（実施の形態）
本発明の実施の形態に係る印刷装置を図面に基づいて説明する。まずは印刷装置の構成について、図１に基づいて説明する。図１は、本発明の実施の形態に係る印刷装置を示す図である。
【００２９】
図１に示すように印刷装置１０は、インクジェット型のカラープリンタであり、センサ制御部１１と、ヘッド制御部１２と、モータ制御部１３と、インタフェース部１４と、メモリカード部１５と、メモリ部１６と、ＣＰＵ（Ｃｅｎｔｒａｌ  Ｐｒｏｃｅｓｓｉｎｇ  Ｕｎｉｔ）部１７とを備え、それぞれがバス１８で接続されている。
【００３０】
センサ制御部１１は、インク残量センサ１１１と、パネルセンサ１１２と、用紙センサ１１３とが接続され、それぞれの状態がＣＰＵ部１７からの読み取り動作により出力される。インク残量センサ１１１は、カートリッジタイプのインクタンクに格納されているインクの残量を検出するセンサで、各色のインクタンクごとに設けられている。パネルセンサ１１２は、メンテナンス用パネルや、インク交換用パネルなど、開けたままの状態で印刷すると、印刷品質が低下したり、印刷が不可能となったりして印刷動作に支障がでるパネルに設けられ、開閉状態を検知するセンサである。このパネルセンサ１１２は、メカニカルスイッチや光学センサなどとすることができる。用紙センサ１１３は、印刷される用紙の位置を検知する用紙位置検出センサである。
【００３１】
ここで用紙センサ１１３について図２に基づいて詳細に説明する。図２（Ａ）および同図（Ｂ）は、図１に示す印刷装置に設けられた用紙センサの一例を示す図である。
【００３２】
図２（Ａ）および同図（Ｂ）に示すように用紙センサ１１３は、搬送路の幅方向に沿って設けられたシャフト１１３１と、このシャフト１１３１に沿って移動するキャリッジ１１３２と、キャリッジ１１３２に設けられた発光部１１３３および受光部１１３４とを備えている。
【００３３】
用紙センサ１１３は、印刷される用紙が有るか否かを、発光部１１３３が発光しつつ、キャリッジ１１３２がシャフト１１３１を移動して、用紙からの光の反射を受光部１１３４が受光することで検知して信号をセンサ制御部１１へ出力し、ＣＰＵ部１７へ通知する。つまり、印刷される用紙を幅方向に順に光を照射しながら走査することで、ＣＰＵ部１７は、用紙が搬送路に対してどの位置にセットされているか、また検知された期間を判定することで用紙の幅を検出することができる。
【００３４】
ヘッド制御部１２は、ＣＰＵ部１７の指示により各色のインクタンクが並べられたヘッドブロック１２１から用紙へのインクの噴射を制御する機能を備えている。
【００３５】
モータ制御部１３は、ＣＰＵ部１７からの指示により、セットされた用紙を吸入し、印刷して排出するための給紙ローラや、搬送ローラおよび排紙ローラなどを回転させる用紙搬送モータ１３１と、ヘッドブロック１２１を用紙の幅方向に沿って移動させるヘッド搬送モータ１３２とを制御する機能を備えている。
【００３６】
用紙へのインクを噴射するヘッド制御部１２およびヘッドブロック１２１とを備えた印字部と、モータ制御部１３、用紙搬送モータ１３１、ヘッド搬送モータ１３２および給排紙ローラなどとを備えた用紙搬送駆動部とで印刷部が構成されている。
【００３７】
インタフェース部１４は、外部との通信を行うもので、例えばデジタルカメラと接続して印刷データである画像データを入力する入力部である。インタフェース部１４としては、デジタルカメラがＵＳＢ（Ｕｎｉｖｅｒｓａｌ  Ｓｅｒｉａｌ  Ｂｕｓ）を最も多く採用しているのでＵＳＢとするのが望ましいが、ＬＡＮ（Ｌｏｃａｌ  Ａｒｅａ  Ｎｅｔｗｏｒｋ）なども印刷データを出力する装置に合わせて採用することができる。
【００３８】
メモリカード部１５は、デジタルカメラで撮影された画像を直接読み取って印刷するために、メモリカードを装着するインタフェースである。このメモリカード部１５では、使用できるメモリカードとして、ＳＤメモリカード（Ｓｅｃｕｒｅ  Ｄｉｇｉｔａｌ  ｍｅｍｏｒｙ  ｃａｒｄ）やコンパクトフラッシュ（登録商標）（Ｃｏｍｐａｃｔ  Ｆｌａｓｈ）など、デジタルカメラで使用される様々な種類のメモリカードが装着可能である。
【００３９】
メモリ部１６は、ＣＰＵ部１７が実行するプログラムや各種の設定情報が格納されているＲＯＭ（Ｒｅａｄ  Ｏｎｌｙ  Ｍｅｍｏｒｙ）と、プログラムが作業領域として使用したり、印刷データを画像処理したりするＲＡＭ（Ｒａｎｄｏｍ  Ａｃｃｅｓｓ  Ｍｅｍｏｒｙ）とを備えている。また、各種の用紙のサイズなどが定義されたプロファイルが格納された不揮発性メモリを備えている。
【００４０】
ＣＰＵ部１７は、メモリ部１６のＲＯＭに格納されたプログラムを実行するＣＰＵと、そのＣＰＵのタイミングを制御する制御回路とを備え、ＲＯＭに格納されたプログラムに応じて印刷装置１０全体を統括制御する制御部である。
【００４１】
この印刷装置１０に各種の用紙をセットするときの状態を図３および図４に示す。図３は、用紙を用紙トレイの右側に寄せてセットするときの状態を示す図である。図４は、用紙を用紙トレイの左側に寄せてセットするときの状態を示す図である。
【００４２】
図３に示すように印刷装置本体１０１には、背面部の給紙口から後方に延びる用紙トレイ１０２が設けられている。搬送路は、用紙トレイ１０２にセットされた用紙が給紙口から給紙され印刷装置本体１０１内で印刷され、そして印刷装置本体１０１の前面から排紙される経路となる。
【００４３】
用紙トレイ１０２には、左側用紙ガイド１９１と、右側用紙ガイド１９２と、用紙搬送ガイド１９３とが設けられている。用紙搬送ガイド１９３は、用紙トレイ１０２に形成されたスリット（図示せず）に沿って左右に移動させることで、左側用紙ガイド１９１と右側用紙ガイド１９２との間隔を調整することができる。
【００４４】
図３では、葉書サイズ用紙２０１の右側を右側用紙ガイド１９２に突き当て、葉書サイズ用紙２０１の左側を用紙搬送ガイド１９３で挟むようにセットしている。またＬ判サイズ用紙２０２を用紙トレイ１０２にセットするときには、葉書サイズ用紙２０１より幅が狭いため、右側用紙ガイド１９２にＬ判サイズ用紙２０２の右側を突き当てた状態で、用紙搬送ガイド１９３を右側に移動させて、Ｌ判サイズ用紙２０２の左側を突き当て、葉書サイズ用紙２０１やＬ判サイズ用紙２０２が斜行した状態で給紙口へ吸入されないようにする。
【００４５】
葉書サイズ用紙２０１と同じ幅で長さが異なるワイド葉書サイズ用紙２０３を用紙トレイ１０２にセットするときには、図４に示すように、ワイド葉書サイズ用紙２０３の左側を左側用紙ガイド１９１に突き当て、用紙搬送ガイド１９３を左側に移動させてワイド葉書サイズ用紙２０３の右側を挟むようにして、左側用紙ガイド１９１と用紙搬送ガイド１９３との間隔を調整することで、ワイド葉書サイズ用紙２０３が斜行した状態で給紙口へ吸入されないようにする。
【００４６】
図３および図４に示すように、用紙トレイ１０２の左側用紙ガイド１９１または右側用紙ガイド１９２に、用紙を突き当てるようにセットするので、操作者が印刷される用紙をセットするときに、容易にセットすることができる。
【００４７】
以上のように構成された本発明の実施の形態に係る印刷装置１０の動作を図５に基づいて説明する。図５は、本発明の実施の形態に係る印刷装置の動作を説明するフローチャートである。
【００４８】
この印刷装置１０では、メモリカードをメモリ部１６へ装着することで、直接印刷することも可能だが、本実施の形態では、デジタルカメラを、ＵＳＢケーブルを介してインタフェース部１４へ接続して、デジタルカメラ内の画像データを読み取り印刷するものとする。
【００４９】
まずデジタルカメラをＰｉｃｔＢｒｉｄｇｅ規格に準拠した手順で画像データを送信するモードへ切り替える。そしてデジタルカメラから画像データが送信されることで、ＣＰＵ部１７は、インタフェース部１４を介して画像データを読み取り（Ｓ１０）、メモリ部１６へ展開して蓄積する（Ｓ２０）。
【００５０】
デジタルカメラ側では、例えばＬ判サイズ用紙２０２に印刷するときには「Ｌ判サイズ」に設定する。また葉書サイズ用紙２０１に印刷するときには「葉書サイズ」とする。更に、葉書サイズ用紙と同じ幅で長さが長いワイド葉書サイズ用紙に印刷するときにはデジタルカメラ側に設定がなければ「その他の用紙」を選択する。
【００５１】
ＣＰＵ部１７は、用紙搬送モータ１３１を駆動させて、用紙トレイ１０２（図３および図４参照）にセットされた用紙を、ヘッドブロック１２１（図１参照）の手前まで搬送するよう、モータ制御部１３へ指示を出す。そしてＣＰＵ部１７は、用紙センサ１１３のキャリッジ１１３２がシャフト１１３１に沿って移動しながら出力する搬送路の幅方向の用紙の有無を示す信号を、センサ制御部１１を介して入力する。
【００５２】
例えば、図３に示すように、葉書サイズ用紙２０１が用紙トレイ１０２の右側に寄せてセットされていれば、キャリッジ１１３２が移動し始めた段階では、用紙有りの検出が行われない。そしてキャリッジ１１３２が中央を越えた付近から用紙を検出し始め、用紙有りの信号をセンサ制御部１１へ出力する。そしてキャリッジ１１３２は、用紙を検出し始めた位置から用紙トレイ１０２の右端まで用紙を検出し続ける。ＣＰＵ部１７は、このセンサ制御部１１からの信号を入力して、用紙有りを検出した期間から用紙の幅を認識することができ、かつ用紙トレイ１０２の右側に寄せて用紙がセットされているので、セットされた用紙が葉書サイズ用紙２０１であることを判別することができる。
【００５３】
また、図４に示すように、ワイド葉書サイズ用紙２０３が用紙トレイ１０２の左側に寄せてセットされている場合では、キャリッジ１１３２が移動し始めた段階で用紙有りを検出する。そしてキャリッジ１１３２が中央を越えた付近から用紙無しとなり、用紙トレイ１０２の右端まで継続して用紙を検出できない状態が続く。ＣＰＵ部１７は、このセンサ制御部１１からの信号を入力することで、用紙有りを検出した期間から用紙の幅を認識することができ、かつ用紙トレイ１０２の左側に寄せて用紙がセットされているので、セットされた用紙がワイド葉書サイズ用紙２０３であることを判別することができる。
【００５４】
このようにＣＰＵ部１７は、用紙センサ１１３からの信号により、用紙トレイ１０２の右側か、または左側かのいずれかの端に片寄せしてセットされているかを検出することで、同じ幅であるけれど長さが異なる用紙がセットされているか否かを判断することができる（Ｓ３０）。
【００５５】
つまり、用紙トレイ１０２の左側に寄せてセットされていればワイド葉書サイズ用紙２０３であると判断し、メモリ部１６からワイド葉書サイズ用紙２０３に関するプロファイルを読み出す（Ｓ４０）。また、用紙トレイ１０２の右側に寄せてセットされていれば葉書サイズ用紙２０１かまたは他のサイズの用紙であると判断する。この場合、デジタルカメラ側では、ＰｉｃｔＢｒｉｄｇｅ規格に準拠した用紙を指定して画像データを送信する場合が多いので、ＣＰＵ部１７は、指定された用紙に応じて、その用紙のプロファイルをメモリ部１６から読み出す（Ｓ５０）。
【００５６】
ＣＰＵ部１７は、受信した画像データに対して、印刷する用紙のサイズに応じた拡大または縮小などの画像処理を行う（Ｓ６０）。
【００５７】
ＣＰＵ部１７は、ヘッド制御部１２が処理可能なように、画像処理した画像データに基づいて、どの種類のインクをどれだけ噴射するかを指示するヘッドデータを生成する（Ｓ７０）。
【００５８】
そして、ＣＰＵ部１７は、モータ制御部１３へ用紙搬送モータ１３１およびヘッド搬送モータ１３２を駆動するよう指示を出し、ヘッドデータに基づいて印刷を行う（Ｓ８０）。
【００５９】
このように、ＰｉｃｔＢｒｉｄｇｅ規格に準拠した用紙であれば、デジタルカメラ側で用紙の種類を指定すると共に、用紙トレイ１０２の右側に該当する種類の用紙をセットすることで、従来通りの印刷を行うことができる。また、ＰｉｃｔＢｒｉｄｇｅ規格に該当する用紙の種類がなく、デジタルカメラ側で用紙を指定することができなく、「その他の用紙」などの設定を選択して印刷することになっても、印刷したい種類の用紙を用紙トレイ１０２の左側に寄せてセットすることで、たとえワイド葉書サイズ用紙２０３であっても印刷装置１０側で自動的に識別することが可能となる。従って、操作者の負担を増加させることなく様々な用紙で印刷することが可能である。
【００６０】
なお、本実施の形態では、デジタルカメラを、インタフェース部１４を介して接続し、画像データを読み込むことで印刷するようにしているが、メモリカードをメモリカード部１５に装着して印刷するときも同様に行うことができる。
【産業上の利用可能性】
【００６１】
本発明は、用紙の幅が同じで、長さが異なるサイズの用紙であっても識別可能とすることで、操作者の負担を増加させることなく様々な用紙で印刷することが可能なので、様々な用紙サイズが印刷可能な印刷装置に好適である。
【図面の簡単な説明】
【００６２】
【図１】本発明の実施の形態に係る印刷装置を示す図
【図２】図１に示す印刷装置に設けられた用紙センサの一例を示す図
【図３】用紙を用紙トレイの右側に寄せてセットするときの状態を示す図
【図４】用紙を用紙トレイの左側に寄せてセットするときの状態を示す図
【図５】本発明の実施の形態に係る印刷装置の動作を説明するフローチャート
【符号の説明】
【００６３】
１０    印刷装置
１１    センサ制御部
１２    ヘッド制御部
１３    モータ制御部
１４    インタフェース部
１６    メモリ部
１７    ＣＰＵ部
１８    バス
１０１    印刷装置本体
１０２    用紙トレイ
１１１    インク残量センサ
１１２    パネルセンサ
１１３    用紙センサ
１２１    ヘッドブロック
１３１    用紙搬送モータ
１３２    ヘッド搬送モータ
１９１    左側用紙ガイド
１９２    右側用紙ガイド
１９３    用紙搬送ガイド
２０１    葉書サイズ用紙
２０２    Ｌ判サイズ用紙
２０３    ワイド葉書サイズ用紙
１１３１    シャフト
１１３２    キャリッジ
１１３３    発光部
１１３４    受光部
【図１】
2008093887.tif 000003
【図２】
2008093887.tif 000004
【図３】
2008093887.tif 000005
【図４】
2008093887.tif 000006
【図５】
2008093887.tif 000007